【事件の表示】
　平成１０年特許願第１４２２１０号「パチンコ機」拒絶査定に対する審判事件〔平成１０年１０月１３日出願公開、特開平１０−２７２２３６、請求項の数（１）〕について、次のとおり審決する。
【結　論】
　原査定を取り消す。
　本願の発明は、特許すべきものとする。
【理　由】
一、手続の経緯、及び本願発明
　本願は、平成１年１２月２９日に出願された特願平１−３４４０６０号の特許出願を基礎とする国内優先権を主張して平成２年１０月１５日に出願された特願平２−２７７１９６号の特許出願の一部を分割出願した特願平１０−１４２２１０号に係り、本願特許出願の発明は、平成１２年７月１４日付けの手続補正書により補正された明細書及び図面の記載からみて、その特許請求の範囲の請求項１に記載された次のとおりのものである。
　「【請求項１】遊技球の貸出に関する情報が記録されたカードを挿入することによって遊技可能なパチンコ機において、該パチンコ機の前面には、別々の排出口を介して排出される貸出遊技球と景品球とを受け入れ且つ受け入れたパチンコ球を発射位置へ一個ずつ導くための打球供給皿と、該打球供給皿から溢れた余剰景品球を貯留する下部球受皿と、を設け、前記カードを挿入するカード装置と分離して、１回の操作によって所定の金額分に相当する遊技球を貸し出すための操作スイッチや投入された前記カードに記録された金額を表示する表示器を前記打球供給皿に設けたことを特徴とするパチンコ機。」（以下、「本願発明」という。）
　
二、原審の拒絶査定の理由
　原審における拒絶査定の理由の概要は、本願特許出願の請求項１に係る発明は、その出願前日本国内において頒布された刊行物である特開昭６４−３４３９０号公報（以下、「引用刊行物１」という。）、同実願昭６２−３５３９２号（実開昭６３−１４３３８９号）のマイクロフィルム（以下、「引用刊行物２」という。）及び同実願昭６０−８３７２８号（実開昭６１−２０００９２号）のマイクロフィルム（以下、「引用刊行物３」という。）にそれぞれ記載された発明、並びに、特開平１−１５８９８７号公報（以下、「引用刊行物４」という。）に記載の周知技術に基いて当業者が容易に発明をすることができたものであるから、特許法第２９条第２項の規定により特許を受けることができない、というものである。
　
三、当審の判断
１．各引用刊行物に記載の発明
・引用刊行物１〔特開昭６４−３４３９０号公報〕には、遊技機に関し、次の事項が記載されている。
　「遊技用媒体を払出す遊技用媒体払出手段を備えた遊技機であって、該遊技機は、所定の遊技用カードが挿入可能なカード挿入口と、前記カード挿入口から挿入されたカードが遊技用媒体の貸出し可能なカードか否かを判別するカード判別手段と、前記カード判別手段が貸出し可能なカードを判別した出力に応答して、所定数量の遊技用媒体を前記遊技用媒体払出手段から払出し、遊技機の賞態様に応じて所定数量の遊技用媒体を前記遊技用媒体払出手段から払出すことを特徴とする、遊技機。」（１頁左欄５〜１８行）
　「パチンコ遊技機３００の前面枠３０２には、遊技盤３０４が形成されており、その遊技盤３０４により遊技領域３０５が形成されている。前面板３３０には、打球供給皿３２４が設けられており、景品玉出口３２３から払出された遊技用媒体の一例であるパチンコ玉を一時貯留するとともに、パチンコ玉を１つずつ打球発射装置３７２（第９図参照）に送り込み、遊技者による操作ハンドル３３６の操作により、パチンコ玉を１つずつ前記遊技領域３０５に打込み得るように構成されている。また、パチンコ遊技機３００の下方部分には、余剰玉受皿３３２が設けられており、前記打球供給皿３２４に貯留されているパチンコ玉が満杯になった場合に、その一部を余剰玉出口３３４から放出し余剰玉受皿３３２により貯留できるように構成されている。」（６頁右上欄１〜１６行）
　「またその下方には、カード挿入口３４０が設けられており、パチンコカードを垂直方向に挿入し得るように構成されている。さらにその下方には、金額表示器３４２および貸玉信号指令ボタン３４４が設けられている。金額表示器３４２は、パチンコカードに記憶されていた貸玉可能な金額を表示するためものである。貸玉信号指令ボタン３４４は、「１，０００円」「５００円」「３００円」「２００円」「１００円」の５つのボタンを含み、いずれかのボタンが押されることにより、表示金額に応じた金額分のパチンコ玉の貸出表示をするものである。そして、パチンコカードを挿入し貸玉信号指令ボタン３４４を操作することにより、パチンコ玉が景品玉出口３２３から貸出されるように構成されている。なお、貸玉信号指令ボタンは、上記実施例に限らず、単一の金額ボタン（１００円，２００円など）を設け、金額ボタンの押圧毎に対応した貸玉を払出すようにしてもよい。」（６頁右下欄２０行〜７頁左上欄１８行）
　「図中、３４０はカード挿入口であり、３４６はカード制御ボックス、３４８は選択制御ボックスであり、貸玉信号指令ボタン３４４（第８図参照）に対応しているものである。このカード挿入口３４０からカードを挿入し、貸玉信号指令ボタン３４４（第８図参照）を操作することにより、後述するように、景品玉払出装置３５２が駆動制御され、所定量のパチンコ玉が貸出されるように構成されている。」（７頁左下欄１８行〜７頁右下欄６行）
　そうすると、上記の摘記事項及び図面第８図〜第１１図の記載からみて、引用刊行物１には、「パチンコ玉の貸出可能な金額が記憶されたパチンコカードをカード挿入口３４０に挿入することによって遊技可能な遊技機において、該遊技機の前面には、排出される貸玉と景品玉とを受け入れ且つ受け入れたパチンコ玉を発射位置へ一個ずつ導くための打球供給皿３２４と、該打球供給皿３２４から溢れた余剰景品玉を貯留する余剰玉受皿３３２と、を設け、前記パチンコカードを挿入するカード挿入口３４０を有するカード制御ボックス３４６と分離して、１回の操作によって所定の金額分に相当するパチンコ玉を貸し出すための貸玉信号指令ボタン３４４や投入された前記パチンコカードに記憶された金額を表示する金額表示器３４２を、前記パチンコカードを挿入するカード挿入口３４０を有するカード制御ボックス３４６の近傍に設けた遊技機」が記載されている。
　
・引用刊行物２〔実願昭６２−３５３９２号（実開昭６３−１４３３８９号）のマイクロフィルム〕には、その明細書及び図面の記載からみて、
　「可変表示装置１３等の遊技装置を有する遊技盤６と、パチンコ玉を供給する打球供給皿２６と、余剰玉を貯溜する余剰玉受皿２９とを備え、前記打球供給皿２６または前記余剰玉受皿２９に前記遊技装置に関連したマイクロスイッチまたはタッチスイッチからなるスイッチング手段３６ａ、３６ｂを設けた弾球遊技機」が記載されている。
　
・引用刊行物３〔実願昭６０−８３７２８号（実開昭６１−２０００９２号）のマイクロフィルム〕には、その明細書及び図面の記載からみて、
　「パチンコ機１の前枠２に設けられた遊技盤３の下部前面に設けた上玉受皿６又は下玉受皿７或いはその近傍に、デジタル式又はアナログ式の時計１３を配設したパチンコ機」が記載されている。
　
・引用刊行物４〔特開平１−１５８９８７号公報〕には、ＩＣカード式玉遊戯台に関し、その明細書及び図面の記載からみて、
　「遊戯台Ｙに、遊戯者によって駆動される玉と、同玉の入りうる複数の入賞口１，１’とが設けられ、出玉口２を有する上受け皿３と、出玉口２を有する下受け皿３とを備え、ＩＣカード８を挿入するＩＣカードリーダーライター５と、遊戯者に遊戯台Ｙからの情報を伝える表示部６（ディスプレイ等）と、表示部６に表示された情報に対する情報を入力する入力部７（テンキーやタッチパネル等）とが設けられたＩＣカード式玉遊戯台」（第１図に記載の第１実施例）、
　「遊戯台Ｙに、ＩＣカード８を挿入するＩＣカードリーダーライター５と、該ＩＣカードリーダーライター５で読みとられたＩＣカード８に記録されている玉の個数を表示する玉数表示器９（玉の個数をデジタル表示するものや、レベルメータ、ディスプレイ等）と、遊戯者に遊戯台Ｙからの情報を伝える表示部６（ディスプレイ等）と、表示部６に表示された情報に対する情報を入力する入力部７（テンキーやタッチパネル等）とが設けられた遊戯玉循環式のＩＣカード式玉遊戯台」（第２図に記載の第２実施例）、及び
　「遊戯台Ｙに、ＩＣカード８を挿入するＩＣカードリーダーライター５と、該ＩＣカードリーダーライター５で読みとられたＩＣカード８に記録されている玉の個数を表示する玉数表示器９（玉の個数をデジタル表示するものや、レベルメータ、ディスプレイ等）と、制御用マイコンとが設けられた遊戯玉循環式のＩＣカード式玉遊戯台」（第３図に記載の第３実施例）が記載されている。
　
２．比較・対比及び一致点・相違点
　本願発明と上記引用刊行物１に記載の発明（以下、「引用発明」という。）とを比較すると、引用発明の「パチンコ玉」「パチンコカード」「遊技機」「貸玉」「景品玉」「パチンコ玉」「打球供給皿３２４」「余剰景品玉」「余剰玉受皿３３２」「カード挿入口３４０を有するカード制御ボックス３４６」「貸玉信号指令ボタン３４４」「金額表示器３４２」のそれぞれが、本願発明の「遊技球」「カード」「パチンコ機」「貸出遊技球」「景品球」「パチンコ球」「打球供給皿」「余剰景品球」「下部球受皿」「カード装置」「操作スイッチ」「表示器」に対応する。
　また、引用刊行物１の「図中、３４０はカード挿入口であり、３４６はカード制御ボックス、３４８は選択制御ボックスであり、貸玉信号指令ボタン３４４（第８図参照）に対応しているものである。」の記載からみて、引用発明においても、貸玉信号指令ボタン３４４と金額表示器３４２とは、前記パチンコカードを挿入するカード挿入口３４０を有するカード制御ボックス３４６と分離して配置されているといえるから、引用発明の「前記パチンコカードを挿入するカード挿入口３４０を有するカード制御ボックス３４６と分離して、１回の操作によって所定の金額分に相当するパチンコ玉を貸し出すための貸玉信号指令ボタン３４４や投入された前記パチンコカードに記憶された金額を表示する金額表示器３４２」の構成が、本願発明の「前記カードを挿入するカード装置と分離して、１回の操作によって所定の金額分に相当する遊技球を貸し出すための操作スイッチや投入された前記カードに記録された金額を表示する表示器」に対応するということができる。
　してみると、本願発明と引用発明とは「遊技球の貸出に関する情報が記録されたカードを挿入することによって遊技可能なパチンコ機において、該パチンコ機の前面には、排出される貸出遊技球と景品球とを受け入れ且つ受け入れたパチンコ球を発射位置へ一個ずつ導くための打球供給皿と、該打球供給皿から溢れた余剰景品球を貯留する下部球受皿と、を設け、前記カードを挿入するカード装置と分離して、１回の操作によって所定の金額分に相当する遊技球を貸し出すための操作スイッチや投入された前記カードに記録された金額を表示する表示器を設けたパチンコ機」である点で一致し、両者は次の点で相違する。
　相違点１：本願発明が「操作スイッチや表示器を、前記打球供給皿に設けた」のに対し、引用発明は「貸玉信号指令ボタン３４４や金額表示器３４２を、前記パチンコカードを挿入するカード挿入口３４０を有するカード制御ボックス３４６の近傍に設けた」点。
　相違点２：打球供給皿について、本願発明が「貸出遊技球と景品球とが別々の排出口を介して排出される」構成となっているのに対し、引用発明は、前記構成を具備していない点。
　
３．相違点の検討
　次に上記相違点１及び相違点２について検討する。
　引用刊行物２に「打球供給皿２６または前記余剰玉受皿２９に前記遊技装置に関連したマイクロスイッチまたはタッチスイッチからなるスイッチング手段３６ａ、３６ｂを設けた」が記載されていることは、前示のとおりである。また、引用刊行物３に「上玉受皿６又は下玉受皿７或いはその近傍に、デジタル式又はアナログ式の時計１３を配設した」が記載されていることも、前示のとおりである。
　しかしながら、引用刊行物２に記載の弾球遊技機は、遊技球の貸出に関する情報が記録されたカードを挿入することによって遊技可能なパチンコ機ではなく、かつ、引用刊行物２に記載のスイッチング手段３６ａ、３６ｂは、例えば可変表示装置の停止を指令するためのスイッチング手段であって、遊技装置に関連したスイッチング手段であり、本願発明におけるようなカード装置に関連する「１回の操作によって所定の金額分に相当する遊技球を貸し出すための操作スイッチ」というものではない。
　また、引用刊行物３に記載の上玉受皿６又は下玉受皿７或いはその近傍に配設されたデジタル式又はアナログ式の時計１３は、単に時刻を表示するか、或いは時限アラームのために利用されるものであって、該時計が投入されたカードに記録された金額を表示する機能をも有するというものではないから、引用刊行物３に記載の発明は、本願発明におけるようなカード装置に関連する「投入された前記カードに記録された金額を表示する表示器」というものではない。
　さらに、引用刊行物４にも、相違点１に係る「操作スイッチや表示器を、前記打球供給皿に設けた」構成について、記載も示唆もされていない。
　そうしてみると、引用刊行物２ないし引用刊行物４には、本願発明の上記相違点１に係る構成が記載されているということはできず、単に本願発明の一部の構成が個々に記載されているというべきである。
　したがって、引用発明に刊行物２ないし引用刊行物４に記載の技術を適用しても、本願発明の構成を得ることはできない。そして、本願発明は、上記相違点１の構成を含む請求項１に記載された構成により、明細書に記載の「本発明に係るパチンコ機は、カードを挿入するカード装置と分離して、遊技者の目線から見て最も見やすい打球供給皿に、１回の操作によって所定の金額分に相当する遊技球を貸し出すための操作スイッチや投入されたカードに記録された金額を表示する表示器を設けたので、操作スイッチや表示器の操作性及び視認性が良いという優れた効果を奏するものである。また、貸出遊技球と景品球とが別々の排出口から打球供給皿に排出されるので、貸出遊技球が排出されたのか景品球が排出されたのかが遊技者にとって容易に見て理解することができる。」という格別の効果を奏するものと認められる。
　
４．まとめ
　以上のとおりであるから、仮に相違点２に係る構成が周知の技術であったとしても、相違点１に係る構成が引用刊行物１ないし引用刊行物４には記載も示唆もなく、且つ、相違点１に係る構成が自明のものであるとも、或いは、本願特許出願時の周知の技術であるということもできないから、相違点２を検討するまでもなく、本願発明が、上記引用刊行物１、引用刊行物２及び引用刊行物３に記載された発明、並びに、引用刊行物４に記載の周知技術に基いて当業者が容易に発明をすることができたものとすることはできない。
　
四、むすび
　以上のとおり、この出願の請求項１に係る発明は、原査定の理由によっては拒絶すべきものとすることはできない。
　そして、他に本願を拒絶すべき理由を発見しない。
　よって、結論のとおり審決する。